(57)【特許請求の範囲】
【請求項１】
底面部の両側部にそれぞれ上側に向かう折起し部が形成されるとともに上記両折起し部の上端部にそれぞれ中央側に向かう折曲げ上壁部が形成されかつ上記両折曲げ上壁部の一部が互いに突き合わせられることによって前端に略閉鎖状の引出し口が形成された薄肉状の外枠体と、両側面部にそれぞれ前後方向に延びるように形成された係合溝を有するとともに上記外枠体により下部が覆われる本体と、を備えており、上記折曲げ上壁部を上記係合溝に係合させて上記外枠体と上記本体とを組み立てることにより、上記外枠体の内周と上記本体の外周との間に、後端側から挿入されたテープ素材を上記引出し口から引き出すまでの過程で上記テープ素材に予備的折返し部を生成する折返し部生成通路が形成された縫製用バイアステープ作成具による縫製用バイアステープ作成方法であって、
上記外枠体の前端部上面における上記引出し口の近傍には、所定幅を有する貫通孔が形成されており、この貫通孔から上記引出し口に向けて上記折返し部生成通路内に接着性のある補助テープを挿入することにより、上記テープ素材は、上記補助テープが上記予備的折返し部上に重ね合わせられた状態で上記引出し口から引き出されるように構成されていることを特徴とする、縫製用バイアステープ作成方法。
【請求項２】
上記補助テープは、加熱により接着性が生じる接着層と、この接着層から容易に剥離可能な基体とを有したものである、請求項１に記載の縫製用バイアステープ作成方法。
【請求項３】
底面部の両側部にそれぞれ上側に向かう折起し部が形成されるとともに上記両折起し部の上端部にそれぞれ中央側に向かう折曲げ上壁部が形成されかつ上記両折曲げ上壁部の一部が互いに突き合わせられることによって前端に略閉鎖状の引出し口が形成された薄肉状の外枠体と、両側面部にそれぞれ前後方向に延びるように形成された係合溝を有するとともに上記外枠体により下部が覆われる本体と、を備えており、上記折曲げ上壁部を上記係合溝に係合させて上記外枠体と上記本体とを組み立てることにより、上記外枠体の内周と上記本体の外周との間に、後端側から挿入されたテープ素材を上記引出し口から引き出すまでの過程で上記テープ素材に予備的折返し部を生成する折返し部生成通路が形成された縫製用バイアステープ作成具であって、
上記外枠体の前端部上面における上記引出し口の近傍には、当該引出し口に向けて上記折返し部生成通路内に接着性のある補助テープを挿入可能とし、この補助テープが上記予備的折返し部上に重ね合わせられた状態で上記引出し口から引き出されるように、所定幅を有する貫通孔が形成されており、かつ、
上記本体の上部中間部には、上記補助テープの幅と対応した幅を有し、前後方向に直線状に延びたガイド溝が設けられていることを特徴とする、縫製用バイアステープ作成具。
【請求項４】
上記本体の上部後端部には、上記補助テープが挿通されるガイド孔が形成されており、
上記ガイド孔と上記貫通孔とは、前後方向に並ぶように配置されている、請求項３に記載の縫製用バイアステープ作成具。
【請求項５】
上記本体の上部後端部には、後方側に移行するにつれて上方に向かうように傾斜した把持部が形成されており、
上記ガイド孔は、上記把持部の基端部に貫通形成されている、請求項４に記載の縫製用バイアステープ作成具。
【発明の詳細な説明】
【０００１】
【発明の属する技術分野】
本願発明は、縫製用バイアステープ作成方法および縫製用バイアステープ作成具に関し、詳しくは、各種の衣服類を縫製する場合において、たとえば、スカートの裾や単衣ものの袖ぐり、襟ぐり等の始末、あるいは、シャツの前身ごろ等の装飾などに用いられる縫製用バイアステープの作成方法および作成具に関する。
【０００２】
【従来の技術】
従来より、たとえば、スカートの裾や単衣ものの袖・襟ぐり等、布地の裁断縁の始末を行う場合、あるいは、シャツの前身ごろ等の装飾を行う場合などにおいては、バイアステープを用いることがある。バイアステープは、たとえば縦糸と横糸とが直交した織物を縦糸（あるいは横糸）に対して斜めに交差する方向に沿って裁断することにより得られる細幅帯状のバイアス布片を、たとえばその幅方向両端部で折り返した構成とされているのが一般的である。このようなバイアステープは、伸縮性に優れており、たとえば、布地の裁断縁の形状に沿うように、あるいは装飾用の図柄や模様などが所望の形状となるように、容易に屈曲することができる。
【０００３】
このようなバイアステープは、衣服類に取り付けられた際には、外部に露出するため、バイアステープとして、所望の色や柄などを有するバイアス布片を用いて形成されたものが要望されていた。
【０００４】
図１０は、このようなバイアステープを作成するための従来の縫製用バイアステープ作成具を示す。この縫製用バイアステープ作成具（以下、単に「作成具」という）１００は、薄肉状の金属板が前方に移行するにしたがって扁平状になるように折り曲げ成形された外枠体１０２と、この外枠体１０２に組み込まれる樹脂製の本体１０３とから構成される。
【０００５】
上記本体１０３の上部には、長手方向に延びる隆起部１３１が形成されており、この隆起部１３１の両側方に係合溝３２が形成されている。そして、上記外枠体１０２の両折曲げ上壁部２１が上記係合溝３２に係合されることにより、図１１に示すように、上記両者が組み立てられた状態となる。
【０００６】
この組み立て状態において、上記外枠体１０２の内周と上記本体１０３の外周との間には、バイアス布片としてのテープ素材１ａを後端側から挿入するための挿入用通路と、この挿入用通路に挿入されたテープ素材１ａを先端側から引き出すまでの過程で折返し部１１を予備的に生成する折返し部生成通路と、が形成される。
【０００７】
このような作成具１００を用いれば、前端側から引き出されるテープ素材に形成された予備的折返し部１１ａに対して、たとえばアイロンを当てることにより、予備的折返し部１１ａを固定することができる。これにより、幅方向両側に折返し部１１が形成されたバイアステープ１が得られる。
【０００８】
このバイアステープ１を使用して、たとえば、衣服類の装飾を行う際には、まず、バイアステープ１で所望の図柄や模様を造形するようにこれを屈曲させ、アイロンを使用するなどしてこの状態を固定する（形づけ工程）。次いで、このバイアステープ１を衣服類の取付対象部位上に配置しつつ、待ち針などを使用して仮止めする（仮止め工程）。そして、バイアステープ１を縫い付ける（本縫い工程）。このようにバイアステープ１は、複雑な作業工程を経て縫い付けられ、その縫い付けには、手間がかかってしまう。
【０００９】
そこで、縫い付け作業を効率的に行うために、バイアステープとして、たとえばアイロンがけなど、容易な作業によって衣服類に接着されうる補助機能付バイアステープを用いることがある。このような補助機能付バイアステープの一例を図９に示す。この補助機能付バイアステープ１Ａは、同図に示すように、加熱により接着性が生じる接着層４１と、シリコンペーパなど、上記接着層４１から容易に剥離可能な基体４２とを有してなる細幅帯状の補助テープ４が、バイアステープ１上に貼付されたものである。この補助機能付バイアステープ１Ａを作成する際には、接着層４１がバイアステープ１の上記した折返し部１１上に載るように、補助テープ４を、バイアステープ１上に重ね合わせて配置し、そして、たとえばアイロンなどをかけることにより、上記接着層４１を溶融させてバイアステープ１上に接着する。
【００１０】
この補助機能付バイアステープ１Ａを取付対象部位に縫い付ける際には、たとえば、まず、上記接着層４１から基体４２を引き剥がした補助機能付バイアステープ１Ａを、取付対象部位上において、所望の形状となるように屈曲させつつ、アイロンなどを使用することにより仮止めする。そして、補助機能付バイアステープ１Ａを衣服類に縫い付ける。すなわち、上記した形づけ工程と、仮止め工程とを一括して行うことができ、縫い付け作業を効率的に行うことができる。
【００１１】
【発明が解決しようとする課題】
しかしながら、上記従来の作成具１００によって作成されたバイアステープ１を用いて、上記補助機能付バイアステープ１Ａを形成する際には、以下のような問題が生じていた。
【００１２】
すなわち、バイアステープ１および補助テープ４は、細幅帯状を呈しているため、互いに位置ずれしないように両者を貼り合わせることが困難となる。また、この貼り合わせ作業においては、上述したように、たとえばアイロンを用いて作成されたバイアステープ１に対して、補助テープ４をアイロンなどを用いて貼りつけることとなり、アイロンがけが二度手間になる。
【００１３】
本願発明は、上記した事情のもとで考え出されたものであって、補助テープがバイアステープに貼付された補助機能付バイアステープを効率的に作成することができる縫製用バイアステープ作成方法および縫製用バイアステープ作成具を提供することをその課題とする。
【００１４】
【発明の開示】
上記課題を解決するため、本願発明では、次の技術的手段を講じている。
【００１５】
すなわち、本願発明の第１の側面により提供される縫製用バイアステープ作成方法は、底面部の両側部にそれぞれ上側に向かう折起し部が形成されるとともに上記両折起し部の上端部にそれぞれ中央側に向かう折曲げ上壁部が形成されかつ上記両折曲げ上壁部の一部が互いに突き合わせられることによって前端に略閉鎖状の引出し口が形成された薄肉状の外枠体と、両側面部にそれぞれ前後方向に延びるように形成された係合溝を有するとともに上記外枠体により下部が覆われる本体と、を備えており、上記折曲げ上壁部を上記係合溝に係合させて上記外枠体と上記本体とを組み立てることにより、上記外枠体の内周と上記本体の外周との間に、後端側から挿入されたテープ素材を上記引出し口から引き出すまでの過程で上記テープ素材に予備的折返し部を生成する折返し部生成通路が形成された縫製用バイアステープ作成具による縫製用バイアステープ作成方法であって、上記外枠体の前端部上面における上記引出し口の近傍には、所定幅を有する貫通孔が形成されており、この貫通孔から上記引出し口に向けて上記折返し部生成通路内に接着性のある補助テープを挿入することにより、上記テープ素材は、上記補助テープが上記予備的折返し部上に重ね合わせられた状態で上記引出し口から引き出されるように構成されていることを特徴としている。
【００１６】
好ましい実施の形態においては、上記補助テープは、加熱により接着性が生じる接着層と、この接着層から容易に剥離可能な基体とを有したものである。
【００１７】
本願発明の第１の側面においては、テープ素材を、この縫製用バイアステープ作成具の後端側から挿入して上記引出し口から引き出すことによって、幅方向端部が予備的に折り返されたバイアステープを作成することができる。このとき、上記貫通孔から上記引出し口に向けて上記折返し部生成通路内に補助テープを挿入することにより、補助テープを上記予備的折返し部上に重ね合わせることができる。この状態で、テープ素材と補助テープとを引出し口から同時に引き出しつつ、この上から、たとえばアイロンをかけることによって、予備的折返し部を固定することができるとともに、補助テープを接着することができる。すなわち、補助テープがバイアステープの折返し部上に接着された補助機能付バイアステープを得ることができる。
【００１８】
このように、本願発明の第１の側面に係る縫製用バイアステープ作成方法を用いれば、補助機能付バイアステープを作成する際に、従来のように、バイアステープと補助テープとを重ね合わせて配置する作業を必要としない。また、従来のように、予備的折返し部の固定作業と、補助テープの接着作業とを別々に行うのではなく、アイロンがけなどを一度行えばこれら双方の作業を同時に行うことができる。したがって、補助機能付バイアステープを効率的に作成することができる。
【００１９】
本願発明の第２の側面により提供される縫製用バイアステープ作成具は、底面部の両側部にそれぞれ上側に向かう折起し部が形成されるとともに上記両折起し部の上端部にそれぞれ中央側に向かう折曲げ上壁部が形成されかつ上記両折曲げ上壁部の一部が互いに突き合わせられることによって前端に略閉鎖状の引出し口が形成された薄肉状の外枠体と、両側面部にそれぞれ前後方向に延びるように形成された係合溝を有するとともに上記外枠体により下部が覆われる本体と、を備えており、上記折曲げ上壁部を上記係合溝に係合させて上記外枠体と上記本体とを組み立てることにより、上記外枠体の内周と上記本体の外周との間に、後端側から挿入されたテープ素材を上記引出し口から引き出すまでの過程で上記テープ素材に予備的折返し部を生成する折返し部生成通路が形成された縫製用バイアステープ作成具であって、上記外枠体の前端部上面における上記引出し口の近傍には、当該引出し口に向けて上記折返し部生成通路内に接着性のある補助テープを挿入可能とし、この補助テープが上記予備的折返し部上に重ね合わせられた状態で上記引出し口から引き出されるように、所定幅を有する貫通孔が形成されており、かつ、上記本体の上部中間部には、上記補助テープの幅と対応した幅を有し、前後方向に直線状に延びたガイド溝が設けられていることを特徴としている。
【００２０】
本願発明の第２の側面によれば、上記第１の側面による効果に加え、補助機能付バイアステープ作成の際に、補助テープを上記ガイド溝に常時係合させておくことによって、補助テープを、縫製用バイアステープ作成具上において、その引出し方向に沿って移動させることができる。これにより、補助テープが上記貫通孔を通る際に、補助テープと貫通孔の端縁との間に作用する抵抗を比較的小とすることができる。したがって、補助テープが貫通孔の端縁によって破損するのを防止することができる。
【００２１】
好ましい実施の形態においてはさらに、上記本体の上部後端部には、上記補助テープが挿通されるガイド孔が形成されており、上記ガイド孔と上記貫通孔とは、前後方向に並ぶように配置されている。
【００２２】
このような構成によれば、補助テープを上記ガイド孔に通してから上記貫通孔に挿入することによって、上記ガイド溝と同様に、補助テープを、縫製用バイアステープ作成具上において、その引出し方向に沿って移動させることができる。また、上記ガイド溝およびガイド孔の双方を上記本体に形成する場合、上記ガイド溝は、上記ガイド孔と上記貫通孔との間に配置されることとなるので、補助テープをガイド溝に確実に係合させておくことができる。したがって、補助テープが貫通孔の端縁によって破損するのをより確実に防止することができる。
【００２３】
好ましい実施の形態においてはさらにまた、上記本体の上部後端部には、後方側に移行するにつれて上方に向かうように傾斜した把持部が形成されており、上記ガイド孔は、上記把持部の基端部に貫通形成されている。
【００２４】
このような構成によれば、上記ガイド孔は、上記把持部の基端部に貫通形成されているので、上記把持部の上方からこの縫製用バイアステープ作成具を掴み込んでも、作業者の手などが補助テープと接触しない。これにより、この縫製用バイアステープ作成具を作業台に対して容易に押え付けることができる。したがって、補助機能付バイアステープが作業台から浮くのを防止することができるので、補助機能付バイアステープのアイロンがけを効率的に行うことができる。
【００２５】
本願発明のその他の特徴および利点については、以下に行う発明の実施の形態の説明から、より明らかになるであろう。
【００２６】
【発明の実施の形態】
以下、本願発明の好ましい実施の形態について、図面を参照して具体的に説明する。
【００２７】
図１は、本願発明に係る縫製用バイアステープ作成具の一例を示す概略斜視図、図２は、図１における外枠体を示す平面図、図３は、図１に示す縫製用バイアステープ作成具の内部構造を示す正面断面図である。図４は、図１のＩＶ−ＩＶ線に沿う断面図、図５は、図１のＶ−Ｖ線に沿う断面図、図６は、図１のＶＩ−ＶＩ線に沿う断面図である。図７は、図１における本体を示す概略斜視図である。また、図８は、図２に示す外枠体と図７に示す本体とを組み立てた状態を示す概略斜視図である。なお、これらの図において、従来例を示す図１０および図１１に表された部材、部分等と同等のものにはそれぞれ同一の符号を付してある。
【００２８】
本願発明に係る縫製用バイアステープ作成具（以下、単に「作成具」という）Ａは、図９に示す補助機能付バイアステープ１Ａを作成するためのものであって、図１に表れているように、薄肉状の金属製等の板材を所定形状に切断して折り曲げ成形することにより形成された外枠体２と、この外枠体２に組み込まれる本体３とを有している。
【００２９】
図２、図３および図８からよくわかるように、上記外枠体２は、底面部２２と、この底面部２２の両側部からそれぞれ上側に向かうように形成された折起し部２３と、両折起し部２３の上端部からそれぞれ中央側に向かうように形成された折曲げ上壁部２１とを有しており、全体として、前端側に移行するにしたがって、幅方向寸法が徐々に小となるように形成されている。
【００３０】
両折曲げ上壁部２１は、図８に示すように、外枠体２の前端部において、互いに突き合わせられた突合せ部２１ａを有しており、略閉鎖状の引出し口２４を形成している。また、両折曲げ上壁部２１は、図２に示すように、上記本体３の後述する係合溝３２に係合可能な係合部２１ｂをそれぞれ有しており、この係合部２１ｂを係合溝３２に係合させることにより、外枠体２と本体３とを組み立てることができる。両係合部２１ｂには、平面視略三角形状の切欠き部２１ｃが形成されており、この切欠き部２１ｃと、本体３の係合溝３２内に形成した図示しない突起とを係合させることにより、係合部２１ｂと係合溝３２とが互いに係合した場合に、本体３が外枠体２から容易に外れることがないように構成されている。
【００３１】
この外枠体２の前端部上面における上記引出し口２４の近傍には、図２に示すように、折曲げ上壁部２１を貫通するように形成された貫通孔５が設けられている。この貫通孔５は、図１に示すように、補助テープ４を挿入するためのものであって、その幅ＷＷ（図２参照）が上記補助テープ４の幅と同等もしくはこれより若干大とされている。本実施形態では、この貫通孔５は、図８に示すように、外枠体２と本体３とを組み立てた状態において、本体３の前端部３ａと協働して周囲が閉じられた窓状となるように形成されている。ただし、本願発明はこれに限定されず、貫通孔５として、たとえば上記突合せ部２１ａにおける本体３から前方側に離間した領域を開口させたものとしてもよい。この場合、貫通孔５は、独立した窓状となるように形成される。
【００３２】
また、上記外枠体２の底面部２２には、図２に示すように、布送り出し用のスリット２９が形成されている。このスリット２９は、後述するようにして、挿入用通路Ｒ１に挿入されたテープ素材１ａを前端側に送り出すためのものであって、外枠体２の前後方向に延びるように形成されている。
【００３３】
図３および図７からよくわかるように、上記本体３は、両側面部にそれぞれ、前後方向に延びるとともに前方側に向かうにつれて下方に傾斜している係合溝３２を有している。本体３は、大別して、係合溝３２より上方に位置して、外枠体２の外部に露出する上部と、係合溝３２より下方に位置して、外枠体２により覆われる下部とからなり、樹脂などにより一体的に形成されている。
【００３４】
本体３の上部の中間部には、図１に示すように、上記補助テープ４の幅と対応した幅を有するガイド溝３１が、この作成具Ａの前後方向に直線状に延びるように形成されている。より詳細には、ガイド溝３１は、図４に示すように、断面略コ字状を呈しており、ガイド溝３１は、その底面３１ｂの幅ＷＴが上記補助テープ４の幅と同等もしくはこれより若干大、その壁部３１ａの高さが補助テープ４の厚みよりも大とされている。これにより、後述するようにして補助機能付バイアステープ１Ａを作成する際に、補助テープ４は、ガイド溝３１に沿って移動することができる。
【００３５】
本体３の上部後端部には、図７に示すように、縫製用バイアステープ１Ａ作成中に上記外枠体２の底面部２２を作業台に押し付けるための把持部６が形成されている。この把持部６は、図３に示すように、後方側に移行するにつれて上方に向かうように傾斜している。この把持部６には、図７に示すように、その基端部に貫通形成されたガイド孔６１が設けられている。このガイド孔６１は、補助テープ４をガイドするためのものであって、幅方向寸法が補助テープ４の幅と同等もしくはこれより若干大とされ、補助テープ４が挿通されるように形成されている。また、このガイド孔６１と上記貫通孔５とは、図８に示すように、この作成具Ａの前後方向に並ぶように配置されている。
【００３６】
本体３の下部には、図７に示すように、幅方向に膨出する膨出部３４と、この膨出部３４より幅方向内側に窪んだ幅狭部３５と、平面視略二等辺三角形を呈した三角部３６とが形成されている。膨出部３４と三角部３６とは、それらの上面が互いに連続した平坦面３６ａとされており、図３に示すように、この平坦面３６ａと上記ガイド溝３１の壁部３１ａとの間に上記係合溝３２が形成されている。幅狭部３５は、全体として平面視矩形状に形成されており、膨出部３４および三角部３６の下方に配置されている。この幅狭部３５の上面は、図７に示すように、三角部３６によって、平面視三角形状の２つの平面３５ａに分割されている。
【００３７】
上記外枠体２と本体３とを組み立てた状態（図８参照）において、外枠体２の内周と本体３の外周との間には、図３に示すように、テープ素材１ａを挿入するための挿入用通路Ｒ１と、この挿入用通路Ｒ１に挿入されたテープ素材１ａを引出し口２４から引き出すまでの過程で予備的折返し部１１ａを生成する折返し部生成通路Ｒ２と、が形成される。挿入用通路Ｒ１は、図４に示すように、外枠体２の底面部２２および折起し部２３と、上記幅狭部３５の底面および側面とで囲まれた領域であって、テープ素材１ａの幅方向両端部１１ａ′を折り曲げてこれが断面コ字状となるようにする。折返し部生成通路Ｒ２は、図５に示すように、外枠体２の底面部２２、折起し部２３および折り曲げ上壁部２１と、幅狭部３５の底面、側面および上面（上記平面３５ａ）とで囲まれた領域であって、この折返し部生成通路Ｒ２内において、テープ素材１ａが前方方向に移動するにつれて、上記幅方向両端部１１ａ′は、折り曲げ上壁部２１によって、幅方向中央に向かうように折り返される。これにより、予備的折返し部１１ａが形成される。なお、折返し部生成通路Ｒ２は、上記本体３の前方側において、上記外枠体２の突合せ部２１ａ、底面部２２および折起し部２３によって囲まれる筒状の領域となっている。
【００３８】
次に、上記構成を有する作成具Ａの作用について説明する。
【００３９】
上記補助機能付バイアステープ１Ａの作成に際しては、まず、テープ素材１ａを作成具Ａの後方側から上記挿入用通路Ｒ１に挿入し、テープ素材１ａの先端が上記外枠体２のスリット２９から外部に対して露出した状態となるまで、テープ素材１ａを押し込む。
【００４０】
次いで、挿入されたテープ素材１ａを前方に送り込んでいく。このとき、図５に示すように、テープ素材１ａの幅方向両端部１１ａ′が折曲げ上壁部２１と本体３の幅狭部３５上面との間で折返されていくことによって、上記した予備的折返し部１１ａが形成される。なお、この作業においては、スリット２９に指あるいは短尺棒状の引掛体を挿入するなどしてテープ素材１ａに接触させ、これを前方にスライドさせることにより、テープ素材１ａを容易に送り込むことができる。
【００４１】
そして、テープ素材１ａの先端が外枠体２の上記引出し口２４から突出した時点で、その突出部分を掴んで引き出すことにより、図１に示すように、予備的折返し部１１ａが上方側に形成されたバイアステープ１を連続して作成していくことが可能な状態となる。
【００４２】
次に、図１に示すように、上記ガイド孔６１に対して、把持部６の裏面側から補助テープ４を挿通させた後、その先端を上記貫通孔５に挿入し、これが上記引出し口２４から突出するように補助テープ４を押し込む。このとき、補助テープ４は、図６に示すように、上記折返し部生成通路Ｒ２内における本体３よりも前方側にて、上記予備的折返し部１１ａ上に重なり合った状態となる。
【００４３】
そして、その突出部分をバイアステープ１の先端と重ね合わせ、この重ね合わせ部分を掴んで、バイアステープ１と補助テープ４とを前方方向に直線的に引き出しつつ、補助テープ４の上からたとえばアイロンを当てる。これにより、バイアステープ１の予備的折返し部１１ａの折り目が固定されつつ、補助テープ４がバイアステープ１の折返し部１１上に接着される。このようにして、補助機能付バイアステープ１Ａを得ることができる。
【００４４】
この作成具Ａによれば、補助テープ４とバイアステープ１とが互いに重なり合った状態で、これらを引出し口２４から引き出すことができるので、従来のように、両者を重ね合わせて配置する必要がない。また、一度のアイロンがけなどによって、予備的折返し部１１ａの折り目の固定と、補助テープ４の接着とを同時に行うことができる。したがって、補助機能付バイアステープ１Ａを効率的に作成することができる。
【００４５】
また、補助テープ４とバイアステープ１とを引出し口２４から引き出す際において、補助テープ４は、貫通孔５とガイド孔６１とによってガイドされているので、これらの間に形成された上記ガイド溝３１に常時係合した状態で送り出される。このガイド溝３１は、上述したように、作成具Ａの前後方向に直線状に形成されているので、補助テープ４の貫通孔５に対する移動方向を、引出し口からの引出し方向に合致させることが可能となる。これにより、補助テープ４は、貫通孔５を通る際に、貫通孔５の幅方向端縁で摩擦されない。したがって、補助テープ４がたとえば途中で切れたりして、破損するのを防止することができる。
【００４６】
さらにまた、上記本体３の上部後端には、上記把持部６が形成されており、たとえば、この把持部６を把持しながら押えることにより、外枠体２の底面部２２を作業面に対して押し付けておくことができる。したがって、補助機能付バイアステープ１Ａが作業台から浮くのを防止することができるので、補助機能付バイアステープ１Ａのアイロンがけを効率的に行うことができる。なお、ガイド孔６１は、把持部６の基端部に形成されているので、把持部６を押える際に、補助テープ４が手に接触するのを防止することができる。したがって、補助テープ４には、たとえば折れ曲がりなどの変形が生じない。換言すれば、補助テープ４の変形を防止するようにして作成具Ａを把持する必要がなく、単に把持部６を上方から押圧するだけで、効率的にアイロンがけを行うことができる。
【００４７】
もちろん、この発明の範囲は上述した実施の形態に限定されるものではない。たとえば、本実施形態では、テープ素材１ａとして、バイアス布片を使用しているが、これに限定されず、他の布地を用いてもよい。
【００４８】
また、たとえば、上記幅狭部３５の底面に対して、作成具Ａの前後方向に延びる凹状溝などを形成することによって、テープ素材１ａと幅狭部３５の底面との接触面積を小さくし、テープ素材１ａが滑らかに移動できるようにしてもよい。
【図面の簡単な説明】
【図１】本願発明に係る縫製用バイアステープ作成具の一例を示す概略斜視図である。
【図２】図１における外枠体を示す平面図である。
【図３】図１に示す縫製用バイアステープ作成具の内部構造を示す正面断面図である。
【図４】図１のＩＶ−ＩＶ線に沿う断面図である
【図５】図１のＶ−Ｖ線に沿う断面図である。
【図６】図１のＶＩ−ＶＩ線に沿う断面図である。
【図７】図１における本体を示す概略斜視図である。
【図８】図２に示す外枠体と図７に示す本体とを組み立てた状態を示す概略斜視図である。
【図９】補助機能付バイアステープの一例を示す概略斜視図である。
【図１０】従来の縫製用バイアステープ作成具の一例を示す分解斜視図である。
【図１１】従来の縫製用バイアステープ作成具の一例を示す概略斜視図である。
【符号の説明】
１      バイアステープ
１ａ    テープ素材
２      外枠体
３      本体
４      補助テープ
６      把持部
１１ａ  予備的折返し部
２１    折曲げ上壁部
２２    底面部
２３    折起し部
３１    ガイド溝
３２    係合溝
４１    接着層
４２    基体
６１    ガイド孔
Ａ      縫製用バイアステープ作成具
Ｒ２    折返し部生成通路
【図１】
0003615715.tif 000002
【図２】
0003615715.tif 000003
【図３】
0003615715.tif 000004
【図４】
0003615715.tif 000005
【図５】
0003615715.tif 000006
【図６】
0003615715.tif 000007
【図７】
0003615715.tif 000008
【図８】
0003615715.tif 000009
【図９】
0003615715.tif 000010
【図１０】
0003615715.tif 000011
【図１１】
0003615715.tif 000012